(57)【要約】【課題】ファイバ（ケーブル）から光が出射する際の発散角を可及的に小さくすることが可能な照明装置を提供すること。【解決手段】光源（９）と、入口側端部（８ａ）及び出口側端部（８ｂ）とを備えるファイバケーブル装置（８）とを有する顕微鏡用照明装置であって、該光源（９）から放射される光が該ファイバケーブル装置（８）の該入口側端部（８ａ）に入射し、該ファイバケーブル装置（８）の該出口側端部（８ｂ）から出射するよう構成された照明装置において、前記ファイバケーブル装置（８）は、１つ又は複数の光ファイバ（２０；３０）を有し、前記１つ又は複数の光ファイバ（２０；３０）の各々は、１つのファイバ体（２０ａ、３０ａ）によって形成されると共に、該１つ又は複数の光ファイバ（２０、３０）の各々の中心軸ｚに対して平行に該ファイバ体（２０ａ、３０ａ）を貫通して延在する少なくとも２つのチャネル（２１、２２；３１、３２；３７）を有することを特徴とする。【選択図】図２−ａ
2006251801.tif 000002
【特許請求の範囲】
【請求項１】
光源（９）と、入口側端部（８ａ）及び出口側端部（８ｂ）とを備えるファイバケーブル装置（８）とを有する顕微鏡用照明装置であって、該光源（９）から放射される光が該ファイバケーブル装置（８）の該入口側端部（８ａ）に入射し、該ファイバケーブル装置（８）の該出口側端部（８ｂ）から出射するよう構成された照明装置において、
前記ファイバケーブル装置（８）は、１つ又は複数の光ファイバ（２０；３０）を有し、
前記１つ又は複数の光ファイバ（２０；３０）の各々は、１つのファイバ体（２０ａ、３０ａ）によって形成されると共に、該１つ又は複数の光ファイバ（２０、３０）の各々の中心軸ｚに対して平行に該ファイバ体（２０ａ、３０ａ）を貫通して延在する少なくとも２つのチャネル（２１、２２；３１、３２；３７）を有すること
を特徴とする照明装置。
【請求項２】
前記１つ又は複数の光ファイバ（２０；３０）の各々は、該１つ又は複数の光ファイバ（２０；３０）の各々の前記中心軸ｚに沿って延在する１つの中央チャネル（２１；３１）を有すること
を特徴とする請求項１に記載の照明装置。
【請求項３】
前記１つ又は複数の光ファイバ（２０；３０）の各々の少なくとも２つのチャネル（２２；３２；３７）は、該１つ又は複数の光ファイバ（２０；３０）の各々の前記中心軸ｚからの等しい距離ｒｉ（ｉ＝１、２、３、…）を有すること
を特徴とする請求項１又は２に記載の照明装置。
【請求項４】
前記１つ又は複数の光ファイバ（２０；３０）の各々の前記少なくとも２つのチャネルは、該１つ又は複数の光ファイバ（２０；３０）の各々の横断面において互いに対し離隔する複数のチャネル（２２；３２；３７）から構成される少なくとも１つのリングを形成すること
を特徴とする請求項３に記載の照明装置。
【請求項５】
少なくとも１つのチャネル（２１、２２；３７）は、円形又は環形の横断面を有すること
を特徴とする請求項１〜４の何れか一項に記載の照明装置。
【請求項６】
前記１つ又は複数の光ファイバ（２０；３０）の各々は、該１つ又は複数の光ファイバの各々の前記中心軸Ｚに沿って延在する直径Ｄの中央チャネル（２１；３１）と、該中央チャネル（２１；３１）に対して平行に延在する複数のチャネル（２２；３２）とを有し、
前記複数のチャネル（２２；３２）は、前記中央チャネルに対して部分的に等しい距離ｒｉ（ｉ＝１、２、３、…）を有しかつそれぞれＤ＞ｄである直径ｄを有すること
を特徴とする請求項１〜５の何れか一項に記載の照明装置。
【請求項７】
前記中央チャネル（２１；３１）に対して平行に延在する複数のチャネル（２２；３２）は、ハニカム構造を形成すること
を特徴とする請求項６に記載の照明装置。
【請求項８】
前記１つ又は複数の光ファイバの各々の前記少なくとも２つのチャネル（２１、２２；３１，３２；３７）の少なくとも１つには、空気又は希ガス等のガスが充填されていること
を特徴とする請求項１〜７の何れか一項に記載の照明装置。
【請求項９】
前記１つ又は複数の光ファイバの各々の前記少なくとも２つのチャネル（２１、２２；３１，３２；３７）の少なくとも１つには、少なくとも部分的に真空が形成されていること
を特徴とする請求項１〜８の何れか一項に記載の照明装置。
【請求項１０】
前記光源（９）は、レーザ光源として構成されること
を特徴とする請求項１〜９の何れか一項に記載の照明装置。
【請求項１１】
請求項１〜１０の何れか一項に記載の照明装置を有する手術用顕微鏡等の顕微鏡。
【請求項１２】
ステレオ顕微鏡として構成されることを特徴とする請求項１１に記載の顕微鏡。
【発明の詳細な説明】
【技術分野】
【０００１】
本発明は、請求項１の上位概念（前置部）に記載の顕微鏡用照明装置、並びにそのような照明装置を備えた請求項１１の上位概念（前置部）に記載の顕微鏡に関する。即ち、本発明は、光源と、入口側端部及び出口側端部とを備えるファイバケーブル装置とを有する顕微鏡用照明装置であって、該光源から放射される光が該ファイバケーブル装置の該入口側端部に入射し、該ファイバケーブル装置の該出口側端部から出射するよう構成された照明装置に関する。更に、本発明は、そのような照明装置を備えた手術顕微鏡等の顕微鏡に関する。
【背景技術】
【０００２】
顕微鏡の照明装置に関しては、種々の方式のものが知られている。これら既知の照明装置は、斜入射照明として顕微鏡の側方に取り付けられたり、照明角度を小さくするために顕微鏡の内部に直接組み込まれたりする。そのため、例えば、照明ビーム路が主対物レンズを介して又は顕微鏡の他の光学要素（複数）を介して案内されるように構成することも可能である。
【０００３】
光源としては、例えば、ハロゲンランプが使用される。光源から放射された光のスペクトル選択を行うことも知られている。例えば、有害なＵＶ又はＩＲビームをフィルタ除去することができる。これに関連して、レーザも光源として使用される。
【０００４】
顕微鏡用の従来の照明装置では、光源から放射された光を観察対象に向けるためにファイバケーブル装置を使用することも同様に知られている。この種のファイバケーブル装置は、それぞれ所定の長さに引き延ばされた円柱体として構成された少なくとも１つの光ファイバを有する。
【発明の開示】
【発明が解決しようとする課題】
【０００５】
しかしながら、この種のファイバケーブルないし光ファイバでは、ファイバから出射する光、例えばレーザ光が、大きく発散（ビーム径拡開）されて進行するという欠点がある。従来のファイバケーブル装置から発散（ビーム径拡開）されて出射される光の様子を図４に示した。同図から、光軸４１ａを有する従来のファイバケーブル装置４１から出射する光が、ファイバケーブル装置４１の出口端部４１ｂにおいて発散（ビーム径拡開）されることを見出すことができる。この発散光が顕微鏡用照明装置の枠（フレーム）内で使用されるべきであるなら、この発散は、結像（合焦）光学系によって補正されなければならない。図４には、結像（合焦）光学系が、２つのレンズ４２、４３によって模式的に示されている。この場合、比較的直径の大きな光線束４０が生じる。
【０００６】
典型的に生じる発散角は凡そ６０゜〜８０゜と大きいので、直径が極めて大きい結像（合焦ないし収束）レンズが必要となるので、顕微鏡の構造寸法も拡大される。しかしながら、とりわけ手術用顕微鏡では、そのコンポーネントが可及的に小さく構成されることが望ましい。
【０００７】
グラスファイバ照明ないしファイバケーブル照明を有する顕微鏡では、上記の理由から顕微鏡を可及的に小型かつコンパクトに構成できるようにするために、ファイバケーブルから光が出射する際にその発散角が可及的に小さくなるよう調整されることが必要とされる。
【０００８】
それゆえ、本発明の課題は、ファイバ（ケーブル）から光が出射する際の発散角を可及的に小さくすることが可能な照明装置を提供することである。
【課題を解決するための手段】
【０００９】
上記の課題を解決するために、本発明の第１の視点により、光源と、入口側端部及び出口側端部とを備えるファイバケーブル装置とを有する顕微鏡用照明装置であって、該光源から放射される光が該ファイバケーブル装置の該入口側端部に入射し、該ファイバケーブル装置の該出口側端部から出射するよう構成された照明装置が提供される。この照明装置において、前記ファイバケーブル装置は、１つ又は複数の光ファイバを有し、前記１つ又は複数の光ファイバの各々は、１つのファイバ体によって形成されると共に、該１つ又は複数の光ファイバの各々の中心軸ｚに対して平行に該ファイバ体を貫通して延在する少なくとも２つのチャネルを有することを特徴とする（形態１・基本構成１）。
上記の課題を解決するために、本発明の第２の視点の手術用顕微鏡等の顕微鏡は、上記第１の視点及び該第１の視点に関連する種々の形態（後掲）の照明装置を有することを特徴とする（形態１１・基本構成２）。
【発明の効果】
【００１０】
本発明の第１の視点の照明装置は、そのファイバ（ケーブル）から出射する光の発散角を可及的に小さくすることができる。また、そのような照明装置を有する本発明の第２の視点の顕微鏡は、小型かつコンパクトに構成されることができる。
更に、各従属請求項により付加的な効果がそれぞれ達成される。
【発明を実施するための最良の形態】
【００１１】
以下に、本発明の好ましい実施の形態を、上記基本構成１及び２をそれぞれ形態１及び１１として示すが、これらは従属請求項の対象でもある。
（形態１）  上掲。
（形態２）  上記形態１の照明装置において、前記１つ又は複数の光ファイバの各々は、該１つ又は複数の光ファイバの各々の前記中心軸ｚに沿って延在する１つの中央チャネルを有することが好ましい。
（形態３）  上記形態１又は２の照明装置において、前記１つ又は複数の光ファイバの各々の少なくとも２つのチャネルは、該１つ又は複数の光ファイバの各々の前記中心軸ｚからの等しい距離ｒｉ（ｉ＝１、２、３、…）を有することが好ましい。
（形態４）  上記形態３の照明装置において、前記１つ又は複数の光ファイバの各々の前記少なくとも２つのチャネルは、該１つ又は複数の光ファイバの各々の横断面において互いに対し離隔する複数のチャネルから構成される少なくとも１つのリングを形成することが好ましい。
（形態５）  上記形態１〜４の照明装置において、少なくとも１つのチャネルは、円形又は環形の横断面を有することが好ましい。
（形態６）  上記形態１〜５の照明装置において、前記１つ又は複数の光ファイバの各々は、該１つ又は複数の光ファイバの各々の前記中心軸Ｚに沿って延在する直径Ｄの中央チャネルと、該中央チャネルに対して平行に延在する複数のチャネルとを有し、前記複数のチャネルは、前記中央チャネルに対して部分的に等しい距離ｒｉ（ｉ＝１、２、３、…）を有しかつそれぞれＤ＞ｄである直径ｄを有することが好ましい。
（形態７）  上記形態６の照明装置において、前記中央チャネルに対して平行に延在する複数のチャネルは、ハニカム構造を形成することが好ましい。
（形態８）  上記形態１〜７の照明装置において、前記１つ又は複数の光ファイバの各々の前記少なくとも２つのチャネルの少なくとも１つには、空気又は希ガス等のガスが充填されていることが好ましい。
（形態９）  上記形態１〜８の照明装置において、前記１つ又は複数の光ファイバの各々の前記少なくとも２つのチャネルの少なくとも１つには、少なくとも部分的に真空が形成されていることが好ましい。
（形態１０）  上記形態１〜９の照明装置において、前記光源は、レーザ光源として構成されることが好ましい。
（形態１１）  上掲。
（形態１２）  上記形態１１の顕微鏡は、ステレオ顕微鏡として構成されることが好ましい。
【００１２】
本発明の照明装置の一実施形態では、そのファイバケーブル装置が少なくとも２つのチャネルをそれぞれ有する複数の光ファイバを有し、これら少なくとも２つのチャネルが、それらが属する光ファイバにおいて、該光ファイバの中心軸に対しそれぞれ平行に当該光ファイバを貫通するよう延在するため、ファイバケーブル装置から出射する光は収束され、従来のファイバケーブル装置の場合のように発散することがないように構成することができる。従って、本発明の照明装置により、光源から放射される光を標的に対し極めて正確に照射することが可能となる。とりわけ、ファイバケーブル装置に後置される（下流に配される）べき結像（合焦ないし収束）光学系を省略すること、或いはこの種の光学系を従来の装置のものよりも格段に小さく構成することが可能となる。
【００１３】
１つ又は複数の光ファイバの各々が、当該光ファイバの中心軸ｚに沿って延在する１つの中央チャネルを有すると好都合であることが判明した。このような中央チャネルを有することよって、ファイバケーブル装置に入射される光、とりわけレーザ光の強度を中央チャネルの領域において集中的に大きくすることが可能となる。
【００１４】
本発明の照明装置の特に有利な一実施形態によれば、１つ又は複数の光ファイバの各々の少なくとも２つのチャネルは、各自が属する光ファイバの中心軸ｚからの等しい半径方向距離ｒｉ（ｉ＝０、１、２、３、…）を有する。
【００１５】
とりわけ、そのように配置された複数のチャネルと中央チャネルとの協働によって、（１つ又は複数の）光ファイバの各々を貫通通過する光ビームのとりわけ強度の集中が達成可能となるため、（１つ又は複数の）光ファイバの各々ないしファイバケーブル装置の端部において収束されたビーム路が得られる。
【００１６】
この効果は、１つ又は複数の光ファイバの各々の少なくとも２つのチャネルが、該１つ又は複数の（少なくとも１つの）光ファイバの横断面において、互いに対し離隔して配される複数のチャネルから構成される少なくとも１つのリングを形成する（なお、リングを形成する個々のチャネルは中央チャネルに対して平行に延在する。）場合に表れる。このようなリングのひとつにおいて互いに隣接する個々のチャネル間の間隔は同じ大きさであると有利であるが、異なっていても良い。
【００１７】
少なくとも１つのチャネルは、円形又は円環形（円環状）の横断面を有すると都合がよい。通常は、各チャネルは円形横断面を有する。尤も、複数の円環形チャネルを１つの光ファイバ体に配することも可能である。例えば、１つの中央チャネルと、該中央チャネルを完全に同心的に包囲する少なくとも１つの円環形チャネルとを有するように構成することも可能である。
【００１８】
本発明の照明装置の特に有利な一実施形態では、１つ又は複数の光ファイバの各々が、当該１つ又は複数の光ファイバの各々の中心軸ｚに沿って延在する直径Ｄの１つの中央チャネルと、この中央チャネルに対して平行に延在する複数のチャネルとを有し、該複数のチャネルは、それぞれ、該中央チャネルに対する等しい距離ｒｉ（ｉ＝１、２、３、…）を有し、かつＤ＞ｄの直径ｄを有する。このように構成することにより、個々のチャネルに存在する物質ないし材料を適切に選択すると、中央チャネルに対して平行に延在する複数のチャネルが、中央チャネルと比べて実質的（実効的 effektiv）により大きい屈折率を有することが可能になる。これによりとりわけ有利な重ね合せ（重畳）効果（Ueberlagerungseffekten）が生じるため、このような光ファイバに入射される光ビームが中央チャネルに集中されるようにすることができる。とりわけ、個々のファイバから又はファイバケーブル装置から出射する光ビームのガウスプロファイル（正規分布）を形成することが可能となる。
【００１９】
他の有利な一実施形態によれば、中央チャネルに対して平行に延在する複数のチャネルがハニカム構造を形成するように配されることも可能である。この場合、中央チャネルを包囲する複数のチャネルは、それぞれ、横断面において規則的な六角形（正六角形）として構成されることが可能であるが、これら個々のチャネル間には薄壁が残置される。この実施形態では、これらの薄壁が光ファイバ体を形成する。ハニカム構造は光ファイバの横断面全体にわたって形成されることも可能であるが、例えば中央チャネルを直接包囲する領域のみに形成されることも可能である。
【００２０】
個々の光ファイバの少なくとも２つのチャネルの少なくとも１つが、とりわけ空気又は希ガス等のガスによって充填されるととりわけ有利である。このように構成することによって、チャネルの内部の光学的屈折率を、チャネルを包囲する（有利にはガラス、クオーツ又はプラスチック等の適切な材料から構成される）ファイバ体の材料の光学的屈折率よりも小さくすることを簡単な態様で保証することができる。このように構成された光ファイバでは、光の進行ないし伝播は、とりわけガス充填されたチャネルの内部において全反射が繰り返されることによって行われる。
【００２１】
例えばキセノン等の希ガスをチャネルに充填する場合、とりわけ、各光ファイバに入射される光のラマン効果に基づく波長シフトが回避可能になる。このラマン効果の回避は、例えば、少なくとも２つのチャネルの少なくとも１つに、少なくとも部分的に真空（空間）を形成することによって実現することができる。
【００２２】
本発明の照明装置の特に有利な一実施形態では、光源は、ＬＥＤ、白熱ランプ、蛍光灯（放電管）又はレーザ光源として構成される。このような光源によって、上述の中央チャネルの内部又はその周囲における光の集中ないし強度最大化の効果、及び当該効果に伴って生じる出射光の収束が、とりわけ効果的に達成されることが可能になる。
【００２３】
更に、これに関連して、中央チャネル及び／又は該中央チャネルに対して平行に延在する更なる複数のチャネルが、凡そ１マイクロメートルの直径を有するように構成することができ都合がよい。チャネルをこのような寸法に構成することにより、これらのチャネルを貫通通過する光子の赤色（方向への波長）シフト（赤方偏移）を生じさせることができる。このような赤色（方向への波長）シフトによって、上記のラマン効果によって引き起こされるような青色（方向への波長）シフトを補償することができる。
【００２４】
本発明の照明装置は、とりわけステレオ顕微鏡等の手術用顕微鏡で使用すると有利であることが判明している。
【００２５】
上述の特徴及び後述する実施例から看取される特徴は、本書に記載された組み合わせだけではなく、本発明の枠を逸脱しない範囲において、その他の組み合わせ又は単独でも実施することができる。
【００２６】
以下に、本発明の実施例を図面を参照して詳細に説明する。なお、以下の実施例は発明の理解の容易化のためのものであり、本発明の技術的思想を逸脱しない範囲において当業者により実施可能な付加・転換・削除等の適用を排除することは意図しない。また、特許請求の範囲に付した図面参照符号も発明の理解の容易化のためのものであり、本発明を図示の態様に限定することは意図しない。
【実施例】
【００２７】
図１は、全体として符号１００が付された顕微鏡の一例の模式的構造を示す。
【００２８】
接眼レンズ１を有する鏡胴２、（任意的な）ズームシステム５及び主対物レンズ１０によって、観察ビーム路１２ａは、主対物レンズ１０の光軸１２に沿って案内される。鏡胴２内では、観察ビーム路１２ａは、接眼レンズ１の光軸１ａの方向に偏向される。顕微鏡がステレオ顕微鏡として構成される場合、左右の観察ビーム路は、図１の模式的側面図では互いに重なり合うように延在するため、結局図示の顕微鏡の観察光路と同様に１本の線で示されることになる。ステレオ顕微鏡として構成される場合、鏡胴２は、相応に２つの接眼レンズ１を備える両眼観察筒として構成される。
【００２９】
対象物（不図示）は光軸１２と対象物面１１との交点に配置される。
【００３０】
本発明の照明装置の特別な一実施例が、全体として符号１５で示されている。この照明装置は、光源９と、本発明による少なくとも１つの光ファイバを有するファイバケーブル装置８と、結像（収束）光学系７とを有する。コンポーネント７、８、９はすべて図示を簡単にするため模式的にのみ示されている。
【００３１】
光源９から生成された光は、照明光１３として、ファイバケーブル装置８及び収束光学系７並びに偏向要素６を介して観察対象物、例えば観察されるべき患者の眼に向けられる。ファイバケーブル装置８ないし光源９の長軸は符号９ａで示されている。
【００３２】
本発明に応じて構成された光ファイバを以下、図２−ａ、図２−ｂ、図２−ｃ及び図３に基づいて説明する。
【００３３】
図２−ａは、本発明に応じて使用可能な光ファイバの第１実施例を示す。光ファイバはこの図では符号２０で示されている。光ファイバはファイバ体２０ａを有するが、このファイバ体には、中心軸ｚに沿って延在する中央チャネル２１と、この中央チャネル２１に対して平行に延在する複数のチャネル２２が形成されている。図から明らかなとおり、チャネル２２は、それぞれ、中央チャネル２１を中心とする同心のリングを形成しており、１つのリングのチャネルは、それぞれ、軸ｚに対して半径方向に等しい距離（中心間距離）ｒ１、ｒ２、ｒ３を有する。チャネル２１、２２には、ガスとりわけ空気が充填されている。ファイバ体２０ａは、適切なガラス、クオーツ又はプラスチックからなる。チャネル２１、２２の光学的屈折率は、ファイバ体２０ａの光学的屈折率よりも小さい。
【００３４】
更に、図から明らかなとおり、中央チャネル２１の直径Ｄは、中央チャネル２１に対して平行に延在する個々のチャネル２２の直径ｄよりも大きい。このため、チャネル２２は、中央チャネル２１よりも実質的（実効的）により大きい屈折率を有する。
【００３５】
全体として、屈折率が上述のように構成されているため、光ファイバ２０に光ビームを入射すると、光ビームないし光ビームの強度が中央チャネル２１内に集中する重ね合せ（干渉）（Ueberlagerung）が生じる。このような光ファイバから出射する光は、その最大ないし極大が中央チャネルの中心部に位置するガウスプロファイル（正規分布）を有する。更に、このような光ファイバから出射する光は、以下に図３に関連してさらに詳細に説明するように、収束的に伝播（進行）する。
【００３６】
ここに完全を期すために言及するが、図２−ａに横断面で示されたチャネル構造は、光ファイバ２０全体（全長）にわたって延在していることに注意すべきである。更に、図示の寸法関係、とりわけチャネル径とファイバ径との間の寸法関係は、必ずしも現実に合致しているわけではなく、発明の理解の容易化のため多少デフォルメされて記載されていることに注意すべきである。同様のことが後述する図２−ｂ及び図２−ｃにも当てはまる。
【００３７】
図２−ｂは、本発明に応じて使用可能な光ファイバの第２実施例を示す。光ファイバの中心軸ｚに沿って延在する中央チャネルは、符号３１で示されている。このチャネル３１は、実質的に六角形に構成された複数のチャネル３２によって包囲されており、これらのチャネル３２は全体でハニカム構造を形成する。個々のチャネル３２の間には、それぞれ薄壁構造体が形成されている。この薄壁構造体は、図２−ｂに符号３０ａで示したファイバ体の一部である。ハニカム構造はファイバ体の横断面全体にわたって形成されることもできるが、ファイバ体の外側の領域を厚い壁によって或いは全長にわたって適切な材料によって形成することも可能である。
【００３８】
ファイバ体３０ａないしはチャネル３２間の壁は、それぞれ、空気等のガスで充満されたチャネル３１、３２よりもより大きい光学的屈折率を有する。更に、中央チャネル３１は、当該中央チャネル３１を包囲するチャネル３２よりもより大きな直径を有するため、この実施例の場合でも、チャネル３２は中央チャネル３１よりも実質的（実効的）により大きい屈折率を有する。全体としては、図２−ａに関連して既に説明したように、同様の光案内効果が達成される。
【００３９】
図２−ｃは、本発明に応じて使用可能な光ファイバの第３実施例を示す。ファイバは、幾つかの観点から図２−ａのファイバに相当するため、部分的に同じ図面参照符号を使用している。図２−ｃのファイバは、中央チャネル２１を有しないという点で図２−ａに示したファイバとは本質的に異なる。更に、チャネル３７（複数）は、それぞれ、光ファイバの中心軸ｚを中心とする六角形構造ないしリングを形成する。光ファイバのこのようなチャネル構造によっても、図２−ａ及び図２−ｂに関連して既に説明したように、同様の光案内効果を達成することができる。
【００４０】
既に述べたように、本発明のガラスファイバの出口側端部では、光は、拡散的に出射するのではなく、収束的に出射する。この効果は図３に明示されている。
【００４１】
図３は、本発明に応じ複数のグラスファイバを有するファイバケーブル装置８を示す。図から明らかなとおり、ファイバケーブル装置８から出射する光は、まず焦点５０に収束され、その後初めて拡開（ビーム径拡大）ないし発散される。その結果、この拡開を補正するための結像（合焦ないし収束）光学系を従来のシステムと比較して格段に小さく構成することができる。このような結像（合焦ないし収束）光学系を、（模式的に）レンズ７で示した。この結像（合焦ないし収束）光学系から出射する光線束５２は、従来技術と比較して格段により小さい直径を有する。
【図面の簡単な説明】
【００４２】
【図１】本発明の照明装置の一例を有する顕微鏡の一例の模式的側面図。
【図２−ａ】本発明の照明装置において使用可能な光ファイバの第１実施例の模式的断面図。
【図２−ｂ】本発明の照明装置において使用可能な光ファイバの第２実施例の模式的断面図。
【図２−ｃ】本発明の照明装置において使用可能な光ファイバの第３実施例の模式的断面図。
【図３】本発明の照明装置の一例を断面で示した模式的側面図。
【図４】従来のファイバケーブル照明装置を断面で示した模式的側面図。
【符号の説明】
【００４３】
１      接眼レンズ
１ａ    接眼レンズ１の光軸
２      鏡胴
５      ズームシステム
６      偏向要素
７      結像（収束）光学系
８      ファイバケーブル装置
８ａ    ファイバケーブル装置８の入口側端部
８ｂ    ファイバケーブル装置８の出口側端部
９      光源
９ａ    ファイバケーブル装置８又は光源９の長軸
１０    主対物レンズ
１１    対象物面
１２    光軸
１２ａ  観察ビーム路
１３    照明光
１５    照明装置
２０    光ファイバ
２０ａ  ファイバ体
２１    中央チャネル
２２    チャネル
３０ａ  ファイバ体
３１    中央チャネル
３２    チャネル
３７    チャネル
４０    光線束
４１    光軸
４１ａ  光軸
４１ｂ  出口端部
４２    レンズ
４３    レンズ
５０    焦点
５２    光線束
１００  顕微鏡
ｚ      中心軸
【図１】
2006251801.tif 000003
【図２−ａ】
2006251801.tif 000004
【図２−ｂ】
2006251801.tif 000005
【図２−ｃ】
2006251801.tif 000006
【図３】
2006251801.tif 000007
【図４】
2006251801.tif 000008